(57)【要約】乗物の内部（２４）に連結するよう適応させられた一つ以上の細長い部材（３０）を備え、一つ以上の取り外し可能な物品（２０）が一つ以上の該部材（３０）へ取り付けられるように構成され且つ用役装置（１２）が該物品に諸用役を提供することを特徴とする、乗物用モジュラー装置が提供される。一つ以上の保持具が、該部材と一直線上に並ぶように配置され、且つ一つ以上の該部材に該物品を取り付けるために該物品に連結される。
2004529806.tif 000002
【特許請求の範囲】
【請求項１】
乗物用モジュラー装置であって：
乗物の内部に連結するよう適応させられた、一つ以上の細長い部材；
該１つ以上の部材へ取り外し可能に取り付けるよう構成された一つ以上の物品；及び
該物品に諸用役を提供するための用役装置；
から成ることを特徴とする、モジュラー装置。
【請求項２】
該部材が、該部材内に細長い通路を形成している孔を備えることを特徴とする、請求項１のモジュラー装置。
【請求項３】
該部材が、該通路を包囲するように構成されたカバーを備えることを特徴とする、請求項２のモジュラー装置。
【請求項４】
該カバーが、多数の部屋に分割され経路様式を形成することがあることを特徴とする、請求項３のモジュラー装置。
【請求項５】
該部材が、乗物の車内屋根部に連結され、且つ乗物の長軸に関して縦方向に向けられていることを特徴とする、請求項４のモジュラー装置。
【請求項６】
該部材が、前方部と後方部とに区分されていることを特徴とする、請求項５のモジュラー装置。
【請求項７】
該前方部及び後方部が、サンルーフによって分離されていることを特徴とする、請求項６のモジュラー装置。
【請求項８】
該部材が、乗物の長軸に対して横方向に向けられていることを特徴とする、請求項５のモジュラー装置。
【請求項９】
該部材が、車内ドアパネルに連結されていることを特徴とする、請求項４のモジュール装置。
【請求項１０】
該部材が、車内側面パネルに連結されていることを特徴とする、請求項４のモジュール装置。
【請求項１１】
該部材が、乗物の積荷領域内における一つ以上の支柱に搭載されていることを特徴とする、請求項４のモジュール装置。
【請求項１２】
該物品が、該部材へ交換可能状態で取り付けられていることを特徴とする、請求項１のモジュラー装置。
【請求項１３】
インターロックを更に備え、該部材のそのインターロックによって制限された位置に該物品が置かれるのを妨げることを特徴とする、請求項１２のモジュラー装置。
【請求項１４】
該物品が、収納小物入れ、ハンガー、張出し棚、作り付け備品、改作できる民生用製品、及びビジネス関連物品から成る群から選ばれることを特徴とする、請求項１２のモジュラー装置。
【請求項１５】
用役装置が、一つ以上の用役供給源及び該部材と連通した用役インターフェイスを備えていることを特徴とする、請求項１のモジュラー装置。
【請求項１６】
用役インターフェイスが複数の入出口を有し、該入出口は、それぞれ用役供給源の一つと稼動状態で連結されていることを特徴とする、請求項１５のモジュラー装置。
【請求項１７】
該入出口が、一つ以上の用役運搬具の第一端部を、取り外し可能に収容するよう構成されていることを特徴とする、請求項１６のモジュラー装置。
【請求項１８】
用役運搬具が、該物品と連通するよう適応させられた第二端部を有することを特徴とする、請求項１７のモジュラー装置。
【請求項１９】
用役運搬具が、該通路内を該インターフェイスから該物品まで、経路を設けられていることを特徴とする、請求項１８のモジュラー装置。
【請求項２０】
乗物用モジュラー装置であって：
一つ以上の細長い部材を乗物の内部に搭載する手段；
一つ以上の物品を該部材へ取り外し可能状態で取り付ける手段；及び
該物品が該部材に取り付けられた時、該物品に諸用役を提供する手段；
から成ることを特徴とする、モジュラー装置。
【請求項２１】
諸用役を提供する手段が、電気伝導性部材の少なくとも一部を包含することを特徴とする、請求項２０のモジュラー装置。
【請求項２２】
該物品を取り外し可能状態で取り付ける手段が、工具を用いないで達成されることを特徴とする、請求項２０のモジュラー装置。
【請求項２３】
ある所定の物品が該部材の在る所定の位置に装着されるのを妨げる手段を、更に備えていることを特徴とする、請求項２０のモジュラー装置。
【請求項２４】
乗物の内部に連結される一つ以上の細長い部材を有する、乗物のモジュラー装置用装具一式であって：
乗物内部での使用に適応させられた一つ以上の物品；
該物品上の一つ以上の取り付け輪郭であり、該取り付け輪郭が一つ以上の該部材と噛合うよう構成されているもの；及び
該物品と連結された一つ以上の保持具であり、該保持具が該物品を取り外し可能状態で該部材に取り付けられるよう適応させられているもの；
から成ることを特徴とする、装具一式。
【請求項２５】
該保持具が、該部材の一又は両側面に沿って縦方向に配置された、凹所と突起物とを噛合わせるよう適応させられており、凹所と突起物とは９０度以下の相対角度を有していることを特徴とする、請求項２４の装具一式。
【請求項２６】
該物品が、収納小物入れ、ハンガー、張出し棚、作り付け備品、改作できる民生用製品、及びビジネス関連物品から成る群から選ばれることを特徴とする、請求項２４の装具一式。
【請求項２７】
該物品が、諸用役を受容するように適応させられていることを特徴とする、請求項２４の装具一式。
【請求項２８】
乗物に物品を搭載する方法であって：
一つ以上の細長い部材を乗物の内部に連結させること；
物品に一つ以上の保持具を取り付けること、該保持具は少なくとも部分的に該部材を取り囲むよう適応させられた形状を有する；及び
該保持具と該部材を取り外し可能状態で噛合わせることにより、該部材に該物品を搭載すること；
から成る方法。
【請求項２９】
物品にエネルギーを与える工程が更に含まれることを特徴とする、請求項２８の方法。
【請求項３０】
物品にエネルギーを与える工程が、一つ以上の用役運搬具に該部材内の通路を貫通した経路を設けること、を包含することを特徴とする、請求項２９の方法。
【請求項３１】
物品にエネルギーを与える工程が、少なくとも該部材の一部が電気的に伝導性であるように該部材の材料を選択すること、を包含することを特徴とする、請求項２８の方法。
【請求項３２】
該物品を第二の交換可能物品に取り替える工程が更に含まれることを特徴とする、請求項２８の方法。
【請求項３３】
該物品を取り替える工程が、工具なしで達成されることを特徴とする、請求項３２の方法。
【請求項３４】
該部材が、乗物の車内天井部に連結されていることを特徴とする、請求項２８の方法。
【請求項３５】
該部材が、乗物の車内積荷部に該物品を搭載するように適応させられていることを特徴とする、請求項２８の方法。
【請求項３６】
該保持具が、該部材の一面又は両側面に沿って縦方向に配置された、凹所と突起物とを掴むように構成された一つ以上の掴み部を有しており、該凹所と突起物とは９０度以下の相対角度を有していることを特徴とする、請求項２８の方法。
【請求項３７】
該掴み部が、該凹所内で内側に向かって解放可能状態での保持を強制されることを特徴とする、請求項３６の方法。
【請求項３８】
乗物の内部に物品を取り付けるための装置であって：
該内部に連結された一つ以上の部材；
該内部に沿って該部材に搭載するよう適応された一つ以上の物品；
該物品に連結され、且つ該部材とのインターフェイス機能を果たすよう適応させられている一つ以上の保持具であり、該保持具が該部材と一直線上に並ぶように該物品上に配置されているもの；
から成ることを特徴とする装置。
【請求項３９】
該物品が、収納小物入れ、ハンガー、張出し棚、作り付け備品、改作できる民生用製品、及びビジネス関連物品から成る群から選ばれることを特徴とする、請求項３８の装置。
【請求項４０】
該部材が、該部材の一又は両側面に沿って縦方向に配置された凹所を有することを特徴とする、請求項３９の装置。
【請求項４１】
該物品が該部材に搭載された時該凹所に噛合うように適応させられた掴み部を、該保持具が有することを特徴とする、請求項４０の装置。
【請求項４２】
該保持具が、該掴み部に該凹所内で内側に向かって解放可能状態での保持を強制するような、弾力性のある材料からなることを特徴とする、請求項４１の装置。
【請求項４３】
該保持具が、掛け金を備え、該掛け金が作動した時に該掴み部が該凹所から開放されることを特徴とする、請求項４１の装置。
【請求項４４】
該掛け金が摺動可能状態で作動することを特徴とする、請求項４３の装置。
【請求項４５】
該掛け金が旋回可能状態で作動することを特徴とする、請求項４３の装置。
【請求項４６】
該掛け金が押しボタン作動することを特徴とする、請求項４３の装置。
【請求項４７】
該保持具が、該部材と噛合う締め具であることを特徴とする、請求項３８の装置。
【発明の詳細な説明】
【技術分野】
【０００１】
本発明は、乗物用モジュラー装置に関する。
【背景技術】
【０００２】
乗物の前部におけるモジュラー収納小物入れは、普通に知られており、ランプ、小さな収納小物入れ、及び方位計、温度表示装置、時計等の電子計器、などの品目を搭載するためのコンソールや構造物を包含している。このようなモジュラー装置は、一般的にはこのような物品を乗物の構造部へ恒久的に取り付ける搭載用構成物を具備し、オプション物品の組込みは乗物建造時の工場内設置において一般に行なわれ、望みの物品の乗物組立に先立つ使用者による選択や、事前組込みオプション完成品についての使用者による承認がしばしば要求される。
【発明の開示】
【発明が解決しようとする課題】
【０００３】
従って、乗物の内部又はそれに連結しての使用に適応させられた、選択的に取り外し可能で使用者指向のずらりと並んだ物品を、交換可能状態で搭載するためのモジュラー装置を提供することは有益なことであろう。乗物の車内側面ばかりでなく乗物の車内天井部の実質的に全長に亘って、又は乗物の車内積荷空間内に、このようなモジュラー装置を提供することも同じく有益なことであろう。乗物用役供給源から交換できるよう選択された物品まで、諸用役を隠蔽された状態で配分するモジュラー装置を提供することも同じく有益なことであろう。乗物操縦者の潜在的な注意散漫を最小にするために、或る種の物品を乗物の所定の部分にだけ組込み可能とするようなモジュラー装置を提供することも、更に有益なことであろう。
【課題を解決するための手段】
【０００４】
（発明の要約）
乗物用モジュラー装置であって、車内のある部分に連結するよう適応させられた一つ以上の細長い部材、一つ以上の該部材へ取り外し可能に取り付けるよう構成された一つ以上の物品、及び該物品に諸用役を提供するための用役装置から成ることを特徴とする、モジュラー装置。
【０００５】
車内のある部分に物品を取り付けるための装置であって、該車内部分に連結された一つ以上の部材、該車内部分に沿って該部材に搭載するよう適応された一つ以上の物品、及び該物品に連結され、且つ該部材とのインターフェイス機能を果たすよう適応させられている一つ以上の保持具から成り、該保持具が該部材と一直線上に並ぶように該物品上に配置されていることを特徴とする装置。
【発明を実施するための最良の形態】
【０００６】
（好ましい実施形態の詳細な説明）
図１及び２を参照して、一つ以上の物品２０を搭載するためのモジュラー装置１０が、好ましい実施形態に従って乗物の内部板２４（例えば、ドア又は側面パネル、カバー、天井の裏張り、など）に沿って、概略（典型的な物品はこの中で更に説明するであろう）が示されている。装置１０は、ドアや側面パネルなどの乗物の側面に沿って、または積荷領域などの乗物の内部空間内に、此処で説明される方法と同様の方式で物品２０を搭載するように適応させられていることもある。装置１０は、望ましい構成で乗物内において内部パネル２４に沿って方向付けられた、レール、軌道、溝、保持具、棒、細棒、柱などの、二つの一般的には平行な搭載部材３０を備えている。部材３０は、一般には乗物の特定の型に対して決められた横方向の間隔を有しているが、間隔は乗物の異なった型や型式の間で変化し、物品２０を搭載するのに適した如何なる横方向間隔をも取るであろう。図３に概略示された一つ以上の位置決め具３１が、物品２０を収容するための部材３０の、横方向の間隔を固定するために使用されることがある。天井用途には、部材３０は、乗物内で横方向の中心に縦方向に向けて置かれるであろうが、物品２０の搭載に適応させるように内部板２４の如何なる横方向の位置にも配置されることがある。代りの実施形態においては、部材３０は、屋根構造における屋根窓その他の不連続箇所に適応させるために、前方部及び／又は後方部（図示されていない）に分割されることがある。部材３０は、物品２０を交換可能状態で収容するように装置の適応性と実用性を増すために、内部パネル２４に沿って横方向に向けられることもある。もう一つ別の代りの実施形態において、単一部材３０が、選択的に且つ交換可能状態で単一部材３０に噛合うように適応させられた、物品２０と連結して用いられることがある。更に代りの実施形態において、部材３０は、物品２０を取り付けるための装置を提供するように、乗物の内部空間内に支柱（図示されていない）又はその他の一般的な垂直支持円柱に搭載されることがある。このような支柱は、支柱搭載部材に物品を取り付ける上での適応性を増すために、部材３０に搭載される物品により固定されるであろう。
【０００７】
図６を参照すると、部材３０の構造的形体が、好ましい実施形態によって示されている。部材３０は、図６に示すように一般に中空の断面形状を有し、一般に平で突き出た縦方向の肋材３４を有する基板３２（例えば、裏張り、接触面、など）を部材３０の上部に備えている。肋材３４は、外縁部で内部パネル２４の表面を掴むように設けられ、一対の肋材３４は、部材３０が屋根構造物に固定された時コネクタ１６０又は６０と一直線上に並ぶよう中央に配置される。部材３０は、更に、外側へ突き出た支持突起物４０（例えば、角部、肩部、縁部、など）を形成している凹所３８（例えば、切り欠き、嵌め込み、細長い孔、細溝、溝、など）を有する、一体の側面部３６を備えている。凹所３８と突起物４０は、突起物４０と嵌合するよう適応させられた対応する構造を有する物品２０（概略が示されている）を、収容し支持するための外部構造を提供する。特定の好ましい実施形態において、突起物４０は水平（図示されているように）であり、物品２０を収容するための構造物を提供するために、突起物４０と凹所３８は９０度以下の角度を持って形成される。代りの実施形態において、部材３０は、円形断面形状（図示されていない）又は、物品２０を収容し支持するための凹所３８及び突起物４０に類似した、縦方向の凹所と突起物を提供するように外表面が構成されているそれ以外の形状を有しているであろう。もう一つの代りの実施形態において、部材３０は、代わりの物品搭載界面を提供し、且つ部材３０の特定の位置に沿ったある部材の組み込みを妨げたり行なわせたりするインターロックを搭載するよう適応させられた構造を提供するための、第二の凹所及び突起物（図示されていない）を具備することがある。
【０００８】
突起物４０の下に、側面３６は、縦方向の穴４８を生ずるように内部角部４６を提供する、端部が返しベンド４４で終わる内側に湾曲した下部４２を備えている。孔４８は、図５及び６に概略示すように、金属線、ケーブル、光ファイバ、などの用役運搬具の経路を設けるため、部材３０内に通路５０（例えば、溝、通り道、導管、トンネル、など）を造り出す。孔４８をカバー且つ用役運搬具を保持するためのカバー５４を有する、部材３０のほぼ全長に亘って取り外し可能な蓋５２が設けられ、部材３０に同一平面上で嵌合したり、又は突き出た輪郭、肋材、乃至その他の装飾的又は有用な構造（図示されていない）を有したりすることがある。蓋５２は、孔４８内に嵌合し、且つ返しベンド４４との締め代方式のスナップ嵌合噛合によってあるべき場所に取り外し可能状態で保持されるような、二つの内側に突き出た脚５６を備えている。孔４８は、部材３０の内部に経路様式を造り出すように仕立てられた種々の長さ区分を有する、一つ以上の蓋５２を挿入することにより全体的又は部分的に隠蔽されるであろう。経路様式は、部材３０の全長に亘って孔４８への通路を選択的に提供するために、いつでも造り出されたり変更されたりすることがある。部材３０と蓋５２は、押し出し法でアクリロニトリル・ブチアデン・スチレン（ＡＢＳ）プラスチックから作られるのが好ましく、内装の配色を強調するようにデザインされた多様な色調で供給されるであろう。代って、部材３０と蓋５２は、アルミニウム又はその他の適切な材料で作られることがあり、その場合に部材３０又は蓋５２は、乗物の供給源から部材３０に搭載される物品２０まで低電圧電力を伝達する導体として役立つこともある。アルミニウム部材の外表面は陽極酸化処理されるのが好ましく、それは部材の外面に絶縁層を提供し、注文仕立ての電気伝導度経路様式を与えるため選択的に除去されるであろう。物品２０によって他の方法では覆われていない部材３０と蓋５２の部分が、電気的接地部との使用者による接触、又は偶然な接触から部材３０を電気的に絶縁するために、凹所３８及び突起物４０にスナップ嵌合する別個の絶縁カバー（図示されていない）を具備していることもある。部材３０と蓋５２は、支持されるべき物品２０から細長い支持部材及び収容搭載構造物を形成するのに適したそれ以外の材料で作られることもある。
【０００９】
図４を参照すると、部材３０は好ましい実施形態に従って乗物に固定されている。部材３０の端部は、屋根フレーム（梁、管寄せ、弓形張り出し、横木、など−図示されていない）の前後の縁部に溶接、ろう付け又は従来の締め具（図示されていない）による締付けで強固に取り付けられる。部材３０は、フレームに直接取り付けられる端部を具備するか、又は部材３０は、張出し棚５８として概略的に示した作り付け部品により屋根フレームに取り付けられるであろう。張出し棚は、サンルーフなどの屋根不連続箇所に突き当てられている部材片の端部を支持するために設けられることもある。前後の部材３０の端部接続箇所は、表縁又は成型物１２として概略的に示した適切な内装部品によって覆われる。部材３０は、パネルの断面形状１４（屋根パネルとして図示されている）に対応して、真っ直ぐな側断面形状又は僅かに湾曲乃至弓形になった（図示されていない）側断面形状を有することがある。代りの実施形態によれば、部材３０は、乗物内部のドア・パネル構造（図示されていない）又は支柱又はその他の支持円柱（図示されていない）に固定されることがある。このような支持円柱は、恒久的に内部乗物構造に固定されるか、又は取り外し可能又は引き込み可能な状態で乗物の床、屋根又は側面に取り付けられ、乗物内部の如何なる位置へも物品を取り付けるためのモジュラー装置を造り出すであろう。
【００１０】
更に図４及び６を参照すると、部材３０の内部全長に対する構造的支持装置が、好ましい実施形態に従って示される。部材３０の内部全長は、発条クリップ１６４付きのスペーサ部１６２を有するコネクタ１６０（例えば、Ｚ軸クリップ）をもちいて、乗物の屋根構造に連結される。スペーサ部１６２へ部材３０を固定するため、並びに装置１０の構造的一体性を保証するように発条クリップ１６４へスペーサ部１６２を固定するために、締め具１６６が使用されるであろう。スペーサ部１６２は、パネル２４の開口７０を貫通して突き出し、部材３０の背部とのしっかりした接触を与え、支持体１６８は、スペーサ部１６２から外側へ突き出し開口７０の周りのパネル２４を支持する。コネクタ１６０は、一つ以上の横方向フレーム部材１６（例えば、梁、屋根弓形張り出し、ドアパネル、床パネル、横管寄せ、など）に、部材３０の組込み位置に対応して、フレーム部材１６に沿った横方向の位置に取り付けられる。代わりのコネクタの型も、図６のコネクタ６０で示されるように用いられることがある。コネクタ６０は、ひれ付きプラグ６６（例えば、「クリスマス・ツリー・コネクタ」）によって、又はダウ・ケミカル社で作られミシガン州オーバーンヒルズに在るサウンド・アライアンス、ＬＬＣから入手可能な、ポリウレタン接着剤である「ＢＥＴＡＭＡＴＥ  ７３７０５」などの構造用接着剤（図示されていない）によって、フレーム部材１６に取り付けられプラットホーム６４に連結されるスペーサ部６１と基部６２とを具備している。代りの実施形態において、コネクタ６０は、マッシュルームの頭形状の突起を有しミネソタ・マイニング・アンド・マニファクチャリング社で製造された「ＤＵＡＬ  ＬＯＣＫ」（登録商標）などの二個一組の再閉可能な締め具装置（図示されていない）によって、又はニューハンプシャー州マンチェスターに在るベルクロＵＳＡ社から入手できるナイロン製の鉤／締め具構造物「ＶＥＬＣＲＯ」（登録商標）によって、フレーム部材１６に取り付けられることがある。基部６２と反対側のコネクタ６０の端部は、開口７０を通ってパネル２４内に延伸し部材３０の基部３２に噛合う台座６８を有している。台座６８の端部は、肋材３４と接するように構成され、台座６８の端部から延伸する環状突起７２は、縦方向の肋材３４の間に捕捉され、部材３０の横方向の安定性を改善するように構成されている。コネクタ６０は、更に、開口７０の近くでパネル２４の背面支持するための支持体７４（翼、突っ張り、腕木、など）を備えている。好ましい実施形態においては、コネクタ１６０及び６０は、ＡＢＳ、ポリカーボネイト又はその他の適切なプラスチックスで作られ、発条クリップ１６４は、熱処理した発条鋼又は金属線から作られるが、コネクタ１６０及び６０は、負荷を装置１０から部材３０を経由してフレーム部材１６へ伝えるのに適した如何なる形状と材料組成をとっても良く、且つコネクタ６０は、適切な引張強さを与えるのに適した如何なる手段によってフレーム部材１６に取り付けてもよい。コネクタ１６０及び６０は、フレーム部材１６及びパネル２４の間の間隙７６に一致するスペーサ部の長さを有する。乗物内でコネクタ６０の台座６８上へのパネル２��の組み込みに続いて、部材３０はパネル２４上に配置されコネクタ１６０及び６０と一直線上に並ばせられて、それにより部材３０は螺子切りされた締め具166又は７６により基部３２を貫通してコネクタ１６０又は６０中に固定される。代りの実施形態において、中実の塊（図示されていない）などの別のコネクタ構造が用いられることがあり、パネル２４は開口７０無しで提供され、従って締め具は基部、パネル及びコネクタを貫通する。もう一つの代りの実施形態においては、部材３０は、浅く弓形断面形状に曲げられ（図示されていない）ており、屋根フレーム又は床パネル又は屋根パネルなど他の乗物構造物の前端部と後端部の間に圧縮嵌め合いを用いて組み込まれて、中程度の長さのコネクタに対する必要性を除去乃至軽減することがある。更に、部材３０は、パネル２４に押し付けて搭載されることがあり、又代ってパネルの一部が部材３０の回りに配置されることもある。
【００１１】
更に、図１を参照すると、種々の物品２０が好ましい実施形態に従って部材３０に搭載されるであろう。物品２０は、ティッシュペーパー、サングラス、遠隔制御装置、無線電話、ポケットベル、携帯情報端末（ＰＤＡ）、携帯用無線電話、双眼鏡、カメラ、救急又は道路非常時用具一式、道具、乳児介護用品や必需品、美術工芸用品、玩具、スポーツ用品、本、地図、狩猟や釣り道具、及び乗物内に直ぐ取り出せるように収納しておくことが有用なその他の多くの物品、を保管するように適合させた収納室（取り出し管理用鍵付き又は無し）を含んでいる。このような収納室は、固定されているか、又は収納室が収納時に引っ込み使用時には引き出されるように、引き降ろし、落下、又は回転して取り出すように設計されるであろう。物品２０は、取っ手、張出し棚、積荷領域へ更なる物品２０を搭載するために部材３０を必要に応じて取り付けるための搭載棚、籠、又は支持円柱用の作り付け備品（例えば、スターター・ブロック）、照明用具、電力用アダプターとコンセント、ライター、視覚表示スクリーン、音響装置、メディア表示装置、ディジタルビデオディスク・プレーヤー、ＧＰＳ受信機、積荷収納棚、つり革又は固定用具、衣服掛け、棒又は掛け具、冷又は熱魔法瓶、移動事務所ワークステーション部品、携帯用空気圧縮機又は真空掃除機、積荷網及び保持具、同乗者安全用具、旅行用テーブル、キャンプ用具、ペット防護柵、手荷物などの特別に改作した民生用製品、このような民生用製品を取り外しできる状態で収納するための固定式、旋回式又は回転式連結具を有する張り出し棚、スキー又はその他の用具を収納するための固定式又は引き込み可能な支持部材を有する収納棚、並びに旅行、仕事又はその他の乗物利用に関連して有用なこれら以外の物品も同様に含んでいる。
【００１２】
物品２０は、部材３０に沿って選択的に配置できるように適応させられているが、ビデオ表示装置やそれに類するものなど乗物の運転手に対して注意散漫をもたらすかもしれないと考えられるような物品は、たとえばビデオ監視装置を乗物の後部位置にのみ組み込めるようにするなど、部材に沿った在る禁止された位置への組み込みを防ぐような搭載インターロックという特徴を備えている。このインターロック機能は、部材の一部の断面形状又は輪郭（図示されていない）を変えることにより、又は第二の凹所と突起物（図示されていない）を備えることにより達成されるであろう。特定の物品２０は、物品３０に沿った通路５０の特定の部分内への空包（図示されていない）の組込みがこのような物品を選定された位置に搭載するのを防ぐように、通路５０内に延伸する突起物（図示されていない）を有する部材３０と噛合うための、搭載用輪郭を備えることがある。代りに、物品の組込みは、選択された物品搭載用輪郭にのみ合致するように部材輪郭を変えることにより選択的に制限されたり、部材３０の一つ以上の側面に沿って又は部材の通路と接続して詰め木を加えることにより達成されたりすることがある。
【００１３】
単一部材に懸架するのに適した物品２０は、部材３０の各側面上の凹所３８及び突起物４０に解放可能状態で接続するための手段を具備することにより、単一部材３０への取付けを行うように構成されている。二本の部材３０に懸架するのにより適した物品２０は、第一の部材３０の一つ又は両方の側面上の凹所３８及び突起物４０に取り付けるための第一の手段を物品の一側面に具備し、第二の部材の一つ又は両方の側面上の凹所３８及び突起物４０に取り付けるための第二の手段を物品の反対の側面に具備するように構成される。
【００１４】
図７及び８を参照すると、物品２０を部材３０へ取り付けるための部品が好ましい実施形態によって示されている。保持具１８０（例えば、掴み、発条、クリップ、など）は、物品２０上の取り付け輪郭２２（例えば、溝、細長い孔、細溝、凹所、窪み、刻み目、など）内に部材３０と一直線上に並んで配置され、従来の締め具１０２（ネジ切りされた螺子として示されているが、ひれ付きプラグ、接着剤、一体形成物、などを含むこともある）により物品２０へ取り付けられる。保持具１８０は、部材３０の外側に弾性的に適合するよう構成され、部材３０の一又は両面上の凹所３８内に止め金１８４を保持するために内側に偏った力を受けている止め金１８４（例えば、タブ、耳状物、回し金、など）を備え、此処で止め金１８４は突起物４０により垂直に支持されている。物品２０は、部材３０下部の保持具１８０を芯合わせし物品２０に力を及ぼすことにより、部材３０へ取り外し可能状態で取り付けられ、そこで止め金１８４は側面部３６の周りに押し付けられて、止め金１８４は凹所３８内に弾性的に嵌め込まれて、突起物４０は、止め金１８４の強固な保持を保証するために、水平（図示されているように）又は上向きで且つ外側へ凹所３８と９０度以下の角度を形成するよう傾けられているのが好ましい。保持具１８０は、物品２０上の旋回掛け金１８８に締め付けられた、延長部１８６を備えている。延長部１８６は、単一部材３０からの懸架に対応させられた物品２０用の保持具１８０の何れかの側面に配置されることがあり、延長部１８６は、二本の部材３０から懸架されるよう対応させられた物品２０用の保持具１００の外側側面に配置される。掛け金１８８を下へ（又は外側へ）引くと、止め金１８４が凹所３８から解放され物品２０が部材３０から取り外される。物品２０の第一側面上の部材３０から保持具１８０を開放することにより生ずる新たな梃子の作用は、物品２０を下向き（又は外向き）の方向へ回転させることにより第二部材上の保持具１８０が取り外される。代りの実施形態においては、延長部を有する始動装置とクリップが、部材３０から物品を取り外しやすくするために、物品のそれぞれの側面に配置されるであろう。特に好ましい実施形態において、保持具１００は、約１ミリメータ厚さの寸法を有する発条鋼材から作られるが、物品２０に対する弾性的保持機能を与えるのに適した、０.５〜２.０ミリメータの範囲又はそれ以外の寸法であってもよい。しかし、適切な寸法とプラスチックや硬質ゴムのような適切な剛性及び弾性とを有するその他の材料も、変わりの実施形態において保持具に用いられることがある。保持具１８０上の止め金１８４は、約９.２ミリメータの高さと約３.１ミリメータの深さを有する凹所３８と噛合うように適応させられているが、顧客の仕様にあわせて、高さは７から１１ミリメータの範囲で、深さは２から５ミリメータの範囲又はその他の適切な如何なる寸法であってもよい。保持具１００上の止め金１０４は、凹所内の横方向の空間が約３３.８ミリメータであるような、部材３０の横方向の各側面上に在る凹所３８に噛合うように適応させられているが、顧客の仕様にあわせて、２６から４０ミリメータの範囲又はその他の適切な如何なる寸���であってもよい。二本の部材からの懸架に適応させられた物品２０を有する他の代りの実施形態において、物品の一側面上の保持具は、部材の外部凹所に噛合うように設計された剛性のある治具（図示されていない）によって置き換えられることがあり、其処では剛性治具は先ず正規の場所に配置され、次いで反対側の保持具１００が上に（又は内側へ）回転されて、それぞれの部材３０の噛合い位置へと入る。
【００１５】
図９及び１０を参照すると、物品２０を部材３０へ取り付ける部品が、代わりの実施形態によって示されている。保持具１００（例えば、掴み、発条、クリップ、など）は、物品２０上の取り付け輪郭２２（例えば、溝、細長い孔、細溝、凹所、窪み、刻み目、など）内に部材３０と一直線上に並んで配置され、従来の締め具１０２（ネジ切りされた螺子として示されているが、ひれ付きプラグ、接着剤、一体形成物、などを含むこともある）により物品２０へ取り付けられる。保持具１００は、部材３０の外側に弾性的に適合するよう構成され、部材３０の一又は両面上の凹所３８内に止め金１０４を保持するために内側に偏った力を受けている止め金１０４（例えば、タブ、耳状物、回し金、など）を備え、此処で止め金１０４は突起物４０により垂直に支持されている。物品２０は、部材３０下部の保持具１００を芯合わせし物品２０に力を及ぼすことにより、部材３０へ取り外し可能状態で取り付けられ、そこで止め金１０４は側面部３６の周りに押し付けられて、止め金１０４は凹所３８内に弾性的に嵌め込まれて、突起物４０は、水平に（図示されているように）又は上向きで且つ外側へ凹所３８に対し相対的に９０度以下の角度を形成するよう傾けられているのが好ましい。保持具１００は、突起物４０の下部で相対的に垂直な位置にある始動装置１０８（例えば、押しボタン、など）を、物品上へ弾性的に接触させるよう構成された延長部１０６を備えている。延長部１０６は、単一部材３０からの懸架に対応させられた物品２０用の保持具１００の何れかの側面に配置されることがあり、延長部１０６は、二本の部材３０から懸架されるよう対応させられた物品２０用の保持具１００の外側側面に配置される。延長部１０６は、一般に逆「Ｕ」字形の返しベンドを有し、且つ、手動で始動装置を押し下げると物品２０が同時に下へ引かれて、止め金１０４を外側へ十分に片寄らせて突起物４０を解放するような、十分な剛性を有している。物品２０の第一側面上の部材３０から保持具１００を開放することにより生ずる新たな梃子の作用は、物品２０を下向き（又は外向き）の方向へ回転させることにより第二部材上の保持具１００が取り外される。代りの実施形態においては、延長部を有する始動装置とクリップが、部材３０から物品を取り外しやすくするために、物品のそれぞれの側面に配置されるであろう。二本の部材からの懸架に適応させられた物品２０を有する他の代りの実施形態において、物品の一側面上の保持具は、部材の外部凹所に噛合うように設計された剛性のある治具（図示されていない）によって置き換えられることがあり、其処では剛性治具は先ず正規の場所に配置され、次いで反対側の保持具１００が上に（又は内側へ）回転されて、それぞれの部材３０の噛合い位置へと入る。
【００１６】
図１１及び１２を参照すると、物品２０を部材３０へ取り付ける部品が、もう一つの代わりの実施形態によって示されている。保持具１２０は、部材３０の外側面と一直線上に並んだ位置にあるピボット１２４で、物品２０に旋回可能状態で取り付けられた掛け金１２２（例えば、鉤、止め金、留め金、など）を備えている。掛け金１２２は、部材３０の凹所３８および突起物４０に噛合うように形作られ且つ上端部から内側へ延伸する突出部１２８を備えた、上端部１２６をピボット１２４の上方に有している。掛け金１２２は、物品２０の開口１３４と共に作用する始動部１３２を備えた下端部１３０を、ピボット１２４の下方に有している。掛け金１２２は、突出部１２８が内側へ向けられ始動装置１３２が外側へ向けられるように、片寄った力が加えられている。掛け金１２２に片寄った力を加えることは、ピボット１２４の軸の周りで作動するコイル発条（図示されていない）によって、又は物品２０と上端部１２６の間に配置された板発条（図示されていない）によって達成されるであろう。掛け金１２２は、鈍角形状をとるように示されているが、物品２０に始動装置面を設けるように且つ部材３０と噛合うように適応させられた、如何なる適切な形状をとってもよい。掛け金１２２は、単一掛け金１２２を部材３０の一側面の凹所３８に噛合わせるために使用され、且つ単一部材３０からの懸架に適応させされた物品と組合せて用いられることがあり、物品２０は、部材３０の反対側面上の凹所３８と噛合うよう設計された剛体構造物（図示されていない）を備える。このような物品２０は、突起物４０を覆うように剛性構造物を挿入すること並びに物品２０の反対側面に力を及ぼすことにより、部材３０へ取り外し可能状態で取り付けられるであろう、此処で掛け金１２２は、部材３０の外側面３６を覆うように弾性的に乗り上げて凹所３８と噛合う。掛け金１２２は、二本の平行な部材３０からの懸架に適応させられた物品２０と組合せて用いられることもあり、此処で掛け金１２２は、部材３０の外側面上の凹所３８及び突起物４０と噛合うよう物品２０の一側面又は両側面上に配置される。掛け金１２２がこのような物品２０の一側面のみに用いられる場合は、剛性構造物（図示されていない）が物品２０の反対側面上に設けられ、其処で物品２０は、先ず剛性構造物を凹所３８に噛み合させること、並びに物品２０の反対側面へ上向きに（又は内向きに）力を及ぼすことにより組み込まれるであろう、此処で掛け金１２２は、部材の外側面３６を覆うように弾性的に乗り上げて凹所３８と噛合う。如何なる構成においても、物品２０は、始動装置１３２を押し下げて凹所３８から突出部１２８の噛合いを外すこと並びに物品２０を下向きに（又は外向きに）引っ張る及び／又は回転することにより、選択的に解放されるであろう。
【００１７】
図１３及び１４を参照すると、物品２０を部材３０へ取り付ける部品が、更に代わりの実施形態によって示されている。掛け金１４２は、物品２０に連結されており、保持具１４０と垂直方向の摺動噛合いをするよう構成されている。保持具１４０は、物品２０に連結されており、部材３０と一直線上に並ぶように置かれている。保持具１４０は、部材３０の周りに適合するよう一般に「Ｕ」字形に形成され、内に向かって突出する止め金１４４により凹所３８と噛合うよう構成されている。掛け金１４２と噛合うよう方向付けられた保持具１４０の側面は、外に向かって片寄った力を加えられ、従って掛け金１４２を下向きに摺動させることは、止め金１４４を物品の取り外し又は組込みのため外向きに片寄らせる。掛け金１４２は、垂直な摺動状態での動作を可能にするような方式で物品２０に連結されており、掛け金１４２上の戻り止め１４６は、上向きの位置にある掛け金１４２と凹所３８内に噛合わされた止め金１４４とによって抵抗力のある閉止を提供する。
【００１８】
更にもう一つ代りの実施形態において、保持具は、部材３０に物品２０を組み込むために弛められるような締め具（例えば、凹所３８と噛合うよう構成された止め螺子など）によって置き換えられることがあり、次いで締め具は部材に物品を固定するために締め付けられたり、引き続く修理、取替え、又は乗物内での方向換えのために弛められたりするであろう。
【００１９】
図３及び５を参照すると、装置１０の用役インターフェイス１６０が、好ましい実施形態に従って概略的に示されている。インターフェイス１６０は、屋根構造物（図示されていない）を貫通する通路と連通する、並びに部材３０とのインターフェイス作用をするために、カバー１２内に収められている。インターフェイス１６０は、供給源（図示されていない）と部材３０に搭載された物品２０との間で諸用役（例えば、電力、音声及びデータ通信信号、ＲＦ伝達信号、計測信号、など）を送達するための従来の用役運搬具１６３（例えば、電線、ケーブル線、導体、ハーネス、など）の相互接続を容易にするための一連の入出口１６２（例えば、コネクタ、コンセント、ジャック、プラグ、など）を備えている。諸用役は、用役供給源（例えば、蓄電池、アンテナ、受信機、送信機、など−図示されていない）から、供給源とインターフェイス１６０に設けられた入出口１６２とを相互接続する用役運搬具１６３を通って、経路が定められる。用役インターフェイス１６０は、乗物の前部又は後部の何れかに設けられるであろう。
【００２０】
好ましい実施形態において、諸用役は、インターフェイス１６０と物品２０とを相互接続する諸用役運搬具１６４を経由して、インターフェイス１６０から送達される。用役運搬具１６４は、部材３０の通路５０を通して運搬具１６４に経路を設けることにより、装置１０全体に亘って分布させられ、運搬具１６４はカバー５４（図６に示す）及び物品２０の背後に隠される。物品２０は、部材３０及びそのカバー部５４を覆って搭載される、従って一つ以上の間隙又は諸用役運搬具１６４の入口と出口の配置に対応するその他の開口が、物品２０のインターフェイス作用をしつつ、物品２０背後のカバー５４の中に設けられ、諸用役 経路様式を造り出す。経路様式は、部材３０の取り外しできるカバー５４に適切な変更を行なうことにより、物品選定ユニット完成品における将来の変更又は修正に適応することが可能である。物品２０及び用役運搬具１６４は、装置１０内での物品２０の取付け、取り替え、または再構成を容易にするために、番コネクタ１６６を設けられることがある。代りに、物品２０は、通路５０を通ってインターフェイス１６０まで経路を設けるための、一定長さの用役運搬具を備えることもあり、運搬具は、外側の端部にインターフェイス１６０と直接接続するように構成された端子を備えている。種々の物品に諸用役を分配する上で更なる融通性を与えるために、物品２０は、新たな用役分配装置又は部品を収納したり、物品選定ユニット完成品の将来の変更に備えるのに望ましいであろう用役運搬具の、過剰量を収納したりするための用役収納容器又は接続箱として役立つように構成されるであろう。
【００２１】
代りの実施形態において、約１２〜４２ボルトＤＣの範囲、又は物品２０にエネルギーを与えるために適切なその他の適切な電圧範囲の低電圧電力が、部材３０を経由して物品２０まで経路を設けられることがあり、その場合部材３０は、全体又は部分的にアルミニウム又はその他の電気伝導性材料で作られる。部材３０は、プラスチックのような非伝導性材料で作られることもあり、その場合銅やアルミニウムのような伝導性材料は、縦方向の伝導性の細長片、条又は棒（図示されていない）の形で部材３０と一体に形成されて、インターフェイス１６０から物品２０までの均一な電流連絡路を提供する。このような伝導性材料は、超音波溶接、成型、締め代型のスナップ挿入物、又は真空メタライジング法により、部材３０に固定される。物品２０は、物品２０の表面から外に向かって突出しており、部材３０又はその上の伝導性細長片に接触するように構成され、且つ物品２０が部材３０上に組み込まれて伝導性電気回路を物品２０に提供する時に部材３０と物品２０の間に隠蔽されたままでいるような、電気伝導性の接触器（図示されていない）を備えている。接触器は、物品２０が部材３０に搭載される時に、部材３０又は伝導性細長片と接触器を連続的に接触させるように、発条で片寄った力を加えられている。二本の平行な部材を有する装置が用いられる好ましい実施形態においては、一つの部材３０が正の電気的極性（即ち、蓄電池の電位）を有し、第二の部材３０が負の電気的極性（即ち、接地）を有するであろう。単一部材を用いる実施形態においては、二本の縦方向の伝導性細長片（図示されていない）は、部材３０上で用いられ、単一部材３０に搭載するよう構成された物品２０上に適切に配置された接触器に対応する、正及び負の伝導体を提供する。
【００２２】
伝導性細長片は、電力インターロック輪郭を設けるために、部材３０に沿った伝導性細長片の縦方向の位置を変えることにより、部材３０に沿った物品位置決めインターロックとして用いられるであろう。該電力インターロック輪郭は物品が部材３０上に伝導性細長片の位置に適合するような位置に挿入される時だけに伝導性細長片と適切にインターフェース作用する在る物品のための接触器を保証する。例えば、ビデオ表示物品は、乗物前部座席の後ろの位置にのみ対応する、伝導性細長片に適合するよう配置された接触器を有するであろう。同様に、乗物操縦者に注意散漫を生ずるようなその他の消費者用物品は、電力インターロック輪郭により予め確立された位置に組み込まれた時にのみ動作するように、電気的にインターロックされるであろう。物品選定ユニット完成品を組み込んだ後も露呈したままで残されるような、部材３０の一部を覆うように適応させられたカバー部（図示されていない）を絶縁することが、消費者の接触や電気的短絡で装置１０のエネルギー供給された部分が接地するのを防ぐために行なわれるであろう。
【００２３】
此処に提供された乗物用モジュラー装置の構成要素の構造と配置は、例示的なものに過ぎないことに注目することが重要である。本開示において、僅かな本発明の典型的実施形態について説明したが、この開示を調査する当業者は、実質的に本発明の新規な教示と利点から逸脱することなく、これらの実施形態に置いて多くの変更（乗物内の組込み位置や方向の差異、種々の構成要素の寸法、構造、形及び割合、搭載時の配置、材料の利用、色、形の組合せ、など）が可能であることを、直ちに正しく理解するであろう。例えば、モジュラー装置は如何なる乗物（乗用車、トラック、スポーツＵＶ車、バン、ボート、航空機、列車、建設又は農業用設備、トレーラー牽引トラック、家庭用及びレクレーション用自動車、など）の内部においても用いられるであろう。他の代りの実施形態によれば、モジュラー装置は、乗物の静止した環境に適応するよう設計されたキャンプ用具などの物品と一緒に用いられることがある。更に、細長い部材は、多様な形、寸法、厚さ、及び噛合い輪郭において提供され、乗物の屋根、床、側面に沿って又は積荷領域内に又は乗物内のその他の適切な位置に組み込むように適応させられているであろう、ということは直ちに明らかである。物品は、一つ以上の部材に取り付けるのに適した如何なる輪郭を用いて設計されてもよく、部材に沿った摺動移動に適応させられるであろう、ということも直ちに明らかである。従って、全てのこのような変更は、付加された特許請求の範囲に定義された発明の範囲内にあることが意図されている。
【図面の簡単な説明】
【００２４】
【図１】好ましい実施形態に従って乗物の車内に搭載したモジュラー装置の、下から見上げた透視図である。
【図２Ａ】好ましい実施形態に従った端部カバー内装部品を有するモジュラー装置の、下から見上げた透視図である。
【図２Ｂ】好ましい実施形態に従った端部カバー内装部品を取り外してあるモジュラー装置の、下から見上げた透視図である。
【図３】好ましい実施形態に従ったモジュラー装置の上から見下ろした透視図である。
【図４】好ましい実施形態に従ったモジュラー装置の側立面図である。
【図５】好ましい実施形態に従ったモジュラー装置の下から見上げた底面図である。
【図６】好ましい実施形態に従ったモジュラー装置の図３の直線６−６に沿った断面図である。
【図７】好ましい実施形態に従ったモジュラー装置において、噛合い位置にある留め具の図５の直線７−７に沿う断面図である。
【図８】好ましい実施形態に従ったモジュラー装置において、解放位置にある該留め具に対する図７の断面図である。
【図９】代りの実施形態に従ったモジュラー装置において、噛合い位置にある留め具に対する図７の断面図である。
【図１０】代りの実施形態に従ったモジュラー装置において、解放位置にある該留め具に対する図７の断面図である。
【図１１】もう一つ代りの実施形態に従ったモジュラー装置において、噛合い位置にある留め具に対する図７の断面図である。
【図１２】もう一つ代りの実施形態に従ったモジュラー装置において、解放位置にある該留め具に対する図７の断面図である。
【図１３】更に代りの実施形態に従ったモジュラー装置において、噛合い位置にある留め具に対する図７の断面図である。
【図１４】更に代りの実施形態に従ったモジュラー装置において、解放位置にある該留め具に対する図７の断面図である。
【国際公開パンフレット】
2004529806.tif 000003
2004529806.tif 000004
2004529806.tif 000005
2004529806.tif 000006
2004529806.tif 000007
2004529806.tif 000008
2004529806.tif 000009
2004529806.tif 000010
2004529806.tif 000011
2004529806.tif 000012
2004529806.tif 000013
2004529806.tif 000014
2004529806.tif 000015
2004529806.tif 000016
2004529806.tif 000017
2004529806.tif 000018
2004529806.tif 000019
2004529806.tif 000020
2004529806.tif 000021
2004529806.tif 000022
2004529806.tif 000023
2004529806.tif 000024
2004529806.tif 000025
2004529806.tif 000026
2004529806.tif 000027
2004529806.tif 000028
2004529806.tif 000029
2004529806.tif 000030
2004529806.tif 000031
2004529806.tif 000032
【国際調査報告】
2004529806.tif 000033
2004529806.tif 000034
2004529806.tif 000035